(57)【特許請求の範囲】
【請求項１】
矩形状の開口を有する四角筒形状の容器本体と、
前記開口を開閉する外フラップと、が備えられており、
前記外フラップは、前記容器本体の第一の側面板の上端部に連接される第一上面板と、前記容器本体において前記第一の側面板と対向する第二の側面板の上端部に連接される第二上面板とを備え、
前記第二上面板は、前記容器本体の開口を閉じた際に該開口を閉塞する閉塞板と、前記容器本体の開口を閉じた際に該開口内に入り込む係止板と、を含み、
前記閉塞板の外面には、当該閉塞板を閉塞した状態において前記第一上面板の内面が重ね合わされて貼着されており、
前記係止板は、前記閉塞板の内面に平行に離隔して対向するように連設されており、
前記係止板において前記容器本体の第三の側面板および第四の側面板の少なくとも一方に対向する側縁には、当該側縁から外方に突出する係止片が設けられており、
前記容器本体の開口の内側には、前記係止板の係止片と係合する係合部が設けられていることを特徴とする包装容器。
【請求項２】
請求項１に記載の包装容器であって、
前記容器本体の内側に折り込まれる内フラップが、前記容器本体の開口から連接されており、
前記係合部は、前記内フラップに形成されていることを特徴とする包装容器。
【請求項３】
請求項１に記載の包装容器であって、
前記係合部は、前記容器本体の内側に折り込まれる糊代板に形成されていることを特徴とする包装容器。
【発明の詳細な説明】
【技術分野】
【０００１】
本発明は、包装容器に関するものである。
【背景技術】
【０００２】
菓子や食品等の商品が収容された包装容器において、包装容器を開封して商品を取り出した後に、再び商品を包装容器に収納できる包装容器として、例えば、特許文献１や特許文献２が知られている。
【０００３】
これらの文献はいずれも、フラップを折り曲げて包装容器を閉塞した後に、フラップの側縁から外方に突出する再封片を、容器本体に形成された切欠部に差し入れて、再封するものである。
【先行技術文献】
【特許文献】
【０００４】
【特許文献１】特開平９−１８３４３３号公報
【特許文献２】特開平８−２６２５９号公報
【発明の概要】
【発明が解決しようとする課題】
【０００５】
従来技術では、包装容器の再封時における、フラップを折り曲げて再封片を切欠部に差し入れる作業は、手間がかかり、煩わしいものであった。また、再封片を切欠部に差し入れるだけで包装容器が再封されているので、再封片が切欠部から解け易いものであり、再封片が切欠部から解けてフラップが開いた状態となると、容器本体の中身が露わになり、見た目が非常に悪いものであった。
【０００６】
本発明は、かかる点に鑑みてなされたものであり、その目的とするところは、確実に再封することができるとともに、その再封作業を容易に行うことができる包装容器を提供するものである。
【課題を解決するための手段】
【０００７】
上記目的を達するために、本発明は次のとおりの構成としている。
【０００８】
本発明に係る包装容器は、矩形状の開口を有する四角筒形状の容器本体と、前記開口を開閉する外フラップと、が備えられており、前記外フラップは、前記容器本体の第一の側面板の上端部に連接される第一上面板と、前記容器本体において前記第一の側面板と対向する第二の側面板の上端部に連接される第二上面板とを備え、前記第二上面板は、前記容器本体の開口を閉じた際に該開口を閉塞する閉塞板と、前記容器本体の開口を閉じた際に該開口内に入り込む係止板と、を含み、前記閉塞板の外面には、当該閉塞板を閉塞した状態において前記第一上面板の内面が重ね合わされて貼着されており、前記係止板は、前記閉塞板の内面に平行に離隔して対向するように連設されており、前記係止板において前記容器本体の第三の側面板および第四の側面板の少なくとも一方に対向する側縁には、当該側縁から外方に突出する係止片が設けられており、前記容器本体の開口の内側には、前記係止板の係止片と係合する係合部が設けられていることを特徴とする。
【０００９】
本発明によれば、包装容器の再封する際に外フラップを閉じるだけで、外フラップに含まれる係止板の係止片と容器本体の開口の内側に設けられた係合部とが係合するので、再封作業を容易に行うことができる。また、従来技術における再封片が切欠部に差し入れられる包装容器とは異なり、係止板の係止片と容器本体の係合部とが強固に係り合うので、確実に再封することができる。
【００１０】
上記の包装容器であって、前記容器本体の内側に折り込まれる内フラップが、前記容器本体の開口から連接されており、前記係合部は、前記内フラップに形成されていてもよい。
【００１１】
このような構成によれば、内フラップを有効に活用することができ、小型で軽量な包装容器にすることができる。
【００１２】
上記の包装容器であって、前記係合部は、前記容器本体の内側に折り込まれる糊代板に形成されていてもよい。
【００１３】
このような構成によれば、包装容器を組み立てる際の糊代板を有効に活用することができ、小型で軽量な包装容器にすることができる。
【発明の効果】
【００１４】
本発明によれば、確実に再封することができるとともに、その再封作業を容易に行うことができる。
【図面の簡単な説明】
【００１５】
【図１】本発明に係る第一実施形態の包装容器の斜視図である。
【図２】本発明に係る第一実施形態の包装容器の展開図である。
【図３】本発明に係る第一実施形態の包装容器の組立要領を説明する工程図である。
【図４】本発明に係る第一実施形態の包装容器の開口近傍の斜視図である。
【図５Ａ】図１のＡ−Ａ線に沿う部分断面図である。
【図５Ｂ】図１のＢ−Ｂ線に沿う断面図である
【図６】本発明に係る第二実施形態の包装容器の展開図である。
【図７】本発明に係る第二実施形態の包装容器の組立要領を説明する工程図である。
【図８】本発明に係る第二実施形態の包装容器の開口近傍の斜視図である。
【図９】本発明に係る第二実施形態の包装容器の開口近傍の斜視図である。
【発明を実施するための形態】
【００１６】
以下、本発明に係る２つの実施形態について説明する。なお、各実施形態の説明は、包装容器の構成、包装容器の組立、包装容器の使用態様の順に説明する。
【００１７】
［第一実施形態］
図１〜図５Ｂを参照しながら、第一実施形態に係る包装容器を説明する。図１は、包装容器の斜視図、図２は、包装容器の展開図、図３は、包装容器の組立要領を説明する工程図、図４は、包装容器の開口近傍の斜視図、図５Ａは、図１のＡ−Ａ線に沿う部分断面図、図５Ｂは、図１のＢ−Ｂ線に沿う断面図である。
【００１８】
−包装容器の構成−
本実施形態に係る包装容器１は、図２の展開図において、正面板２と、右側面板３と、左側面板４と、背面板５と、第一糊代板５３と、一対の上部内フラップＩＦ１、ＩＦ２と、一対の下部内フラップＩＦ３、ＩＦ４と、第一上面板２１と、第二上面板５１と、第一下面板２２と、第二下面板５２と、を含む構成とする。
【００１９】
正面板２の上端縁には、折目ｆ２を介して第一上面板２１が、下端縁には、折目ｆ１３を介して第一下面板２２が、それぞれ連設されている。また、本実施形態では、正面板２の上方には、第一上面板２１を切り裂くための略Ｖ字形状の切り裂き目ｋ１が形成されている。
【００２０】
右側面板３は、正面板２の右端縁から折目ｆ９を介して連設されており、その上端縁には、折目ｆ３を介して上部内フラップＩＦ２が形成され、下端縁には、折目ｆ１４を介して下部内フラップＩＦ４が形成されている。
【００２１】
左側面板４は、正面板２の左端縁から折目ｆ８を介して連設されており、その上端縁には、折目ｆ１を介して上部内フラップＩＦ１が形成され、下端縁には、折目ｆ１２を介して下部内フラップＩＦ３が形成されている。
【００２２】
背面板５は、右側面板３の右端縁から折目ｆ１０を介して連設されており、その上端縁には、第二上面板５１が折目ｆ４を介して連設され、下端縁には、第二下面板５２が折目ｆ１５を介して連設されている。また、本実施形態では、背面板５の下方には、第二下面板５２を切り裂くための略円弧状の切り裂き目ｋ２が形成されている。
【００２３】
第一糊代板５３は、背面板５の右端縁から折目ｆ１１を介して連設されている。なお、第一糊代板５３は、後述する包装容器の組立において、左側面板４の内面と接着する際に、前述した上部内フラップＩＦ１と干渉しないように、その上端部が切り欠かれている。
【００２４】
一対の上部内フラップＩＦ１、ＩＦ２には、後述する係止板５１ｃの係止片ｐと係合する係合部ｍが、それぞれ設けられている。本実施形態の係合部ｍは孔である。また、上部内フラップＩＦ１の形状は、後述する包装容器の組立時に、第一糊代板５３と干渉しないように外周縁の一部が切り欠かれている。
【００２５】
第一上面板２１は、第二上面板５１と接着されて容器本体の開口ｈを開閉するものである。すなわち、第一上面板２１と第二上面板５１によって外フラップＯＦが構成される。なお、第一上面板２１を設けずに、第二上面板５１だけで外フラップＯＦとしてもよい。
【００２６】
第二上面板５１は、背面板５側から順に閉塞板５１ａ、連結板５１ｂ、係止板５１ｃ、第二糊代板５１ｄを備えている。つまり、閉塞板５１ａは折目ｆ４を介して背面板５と連設され、連結板５１ｂは折目ｆ５を介して閉塞板５１ａと連設され、係止板５１ｃは折目ｆ６を介して連結板５１ｂと連設され、第二糊代板５１ｄは折目ｆ７を介して係止板５１ｃと連設されている。閉塞板５１ａは、上述した第一上面板２１と接着されるものであり、その大きさは、第一上面板２１と略等しい大きさである。係止板５１ｃは、少なくとも一方の側縁から外方に突出する係止片ｐを備えており、本実施形態では、係止片ｐは、係止板５１ｃの両側からそれぞれ突出されている。
【００２７】
第一下面板２２と第二下面板５２は、容器本体の開口ｈを閉塞するものであり、互いに略等しい大きさである。
【００２８】
−包装容器の組立−
次に、包装容器の組立について説明する。
【００２９】
まず、図２の展開図において、一対の上部内フラップＩＦ１、ＩＦ２を、それぞれ折目ｆ１、ｆ３に沿って内側に折り曲げ、各上部内フラップＩＦ１、ＩＦ２をそれぞれ右側面板３、左側面板４の各内面に接着固定する。さらに、第二上面板５１を、折目ｆ５に沿って折り曲げ、第二糊代板５１ｄを背面板５の内面に接着固定する（図３参照）。
【００３０】
次に、折目ｆ８、ｆ９、ｆ１０、ｆ１１に沿って、正面板２、右側面板３、左側面板４、背面板５、第一糊代板５３をそれぞれ折り曲げ、第一糊代板５３を左側面板４の内面側に接着固定する。ここで、左側面板４に連設された上部内フラップＩＦ１及び第一糊代板５３は、互いに切り欠かれているので、左側面板４と第一糊代板５３とを貼り合わせても互いに干渉することなく、面一とすることができる。
【００３１】
次に、折目ｆ１２、ｆ１４に沿って、下部内フラップＩＦ３と、下部内フラップＩＦ４とが互いに面一となるように折り曲げる。そして、一対の下部内フラップＩＦ３、ＩＦ４を覆うように、折目ｆ１３に沿って第一下面板２２を折り曲げる。その後に、折目ｆ１５に沿って第二下面板５２を折り曲げる。そして、第一下面板２２に第二下面板５２を重ね合わせて互いに接着固定する。
【００３２】
これにより、開口ｈ（後述する図４参照）を有する容器本体が組み立てられる。この容器本体の開口ｈから収容物を収容した後に、容器本体の開口ｈを閉塞する。以下、閉塞手順について、詳述する。
【００３３】
まず、第二上面板５１を、開口ｈを閉塞するように折り曲げる。具体的には、第二上面板５１を折目ｆ４に沿って折り曲げると、閉塞板５１ａが開口ｈを閉塞するとともに、閉塞板５１ａと連結板５１ｂを介して連結された係止板５１ｃが、閉塞板５１ａの折り曲げと連動して折り曲げられる。すなわち、折目ｆ７を介して係止板５１ｃが折り曲げられる（後述する図４参照）。これにより、閉塞板５１ａによって開口ｈを閉塞すると、係止板５１ｃは、容器本体の開口ｈ内に連結板５１ｂの幅ｔだけ入り込む（後述する図５Ａ参照）。そして、開口ｈ内に入り込んだ係止板５１ｃの係止片ｐがそれぞれ、上部内フラップＩＦ１、ＩＦ２の係合部ｍと係合して（後述する図５Ｂ参照）、開口ｈが第二上面板５１によって閉塞される。
【００３４】
開口ｈを第二上面板５１で閉塞した後は、折目ｆ２（図２、図３参照）に沿って第一上面板２１を折り曲げ、第一上面板２１を第二上面板５１に重ねて接着固定する。
【００３５】
以上により、容器本体の開口ｈが外フラップＯＦによって閉塞され、包装容器１が組み立てられる。
【００３６】
−包装容器の使用態様−
次に、本実施系地における包装容器の使用態様について説明する。
【００３７】
本実施形態における包装容器１を開封して収容物を取り出す際は、正面板２の切り裂き目ｋ１を指で押圧して切り裂いて、外フラップＯＦを開くことにより、包装容器１が開封され、包装容器１内の収容物を取り出すことができる（図４参照）。
【００３８】
開封された包装容器１に、再度、収容物を収容して再封する際は、上述した「包装容器の組立」で説明したとおり、外フラップＯＦを閉じる。これにより、係止板５１ｃが、容器本体の開口ｈ内に入り込み、係止板５１ｃの各係止片ｐが、一対の上部内フラップＩＦ１、ＩＦ２の係合部ｍとそれぞれ係合する（図５Ａ及び図５Ｂ参照）。
【００３９】
以上により、本発明に係る包装容器は、従来技術と異なり、再封片を切欠部に差し入れる手間を必要とせず、外フラップＯＦを閉じるだけで、係止板５１ｃの係止片ｐが一対の上部内フラップＩＦ１、ＩＦ２の係合部ｍと係合するので、再封作業を容易に行うことができる。また、従来技術における再封片が切欠部に差し入れられるものとは異なり、係止板５１ｃの係止片ｐと容器本体の係合部ｍとが強固に係り合うので、確実に再封することができる。
【００４０】
なお、略Ｖ字形状の切り裂き目ｋ１のＶ字の深さｖは、連結板５１ｂの幅ｔと同程度、又は連結板５１ｂの幅ｔより浅く設計されていることが好ましい（図４参照）。この場合、第一上面板２１が分離しても、Ｖ字の深さｖが連結板５１ｂの幅ｔより浅いので、包装容器の正面視において包装容器の内部の露出を防止できる。
【００４１】
また、本実施形態における包装容器において再封を望まない場合は、背面板５の切り裂き目ｋ２を指で押圧して切り裂いて、包装容器１を開封することも可能である。この場合、切り裂き目ｋ２は、切り裂き目ｋ１と反対側の背面板５に形成されており、切り裂き目ｋ１の形状（略Ｖ字状）と、切り裂き目ｋ２の形状（略弧状）とが明らかに異なっているので、包装容器を開封する開封者が間違うことはない。なお、本実施形態では、切り裂き目ｋ２は、切り裂き目ｋ１の逆側に形成されているが、切り裂き目ｋ１と切り裂き目ｋ２が同一平面上に形成されていてもよい。
【００４２】
［第二実施形態］
次に、図６〜図９を参照しながら、第二実施形態に係る包装容器を説明する。なお、本実施形態は、上記図１〜図５Ｂに示した実施形態のものと、係合部ｍの形態が異なるものであるから、以下、その相違点について説明し、同一の構成要素については、同一符号を付してその説明を省略する。図６は、包装容器の展開図、図７は、包装容器の組立要領を説明する工程図、図８及び図９は、包装容器の開口近傍の斜視図である。
【００４３】
−包装容器の構成−
本実施形態に係る包装容器１は、図６の展開図において、正面板２と、右側面板３と、左側面板４と、背面板５と、第一糊代板５３と、上部内フラップＩＦ５と、一対の下部内フラップＩＦ３、ＩＦ４と、第一上面板２１と、第二上面板５１と、第一下面板２２と、第二下面板５２と、を含む構成とする。
【００４４】
右側面板３は、正面板２の右端縁から折目ｆ９を介して連設されており、その上端縁には、折目ｆ３を介して、第一実施形態で説明した上部内フラップＩＦ１と異なる上部内フラップＩＦ５が連設されている。
【００４５】
上部内フラップＩＦ５には、係止板５１ｃの係止片ｐと係合する係合部ｍが設けられており、本実施形態の係合部ｍは切り欠きである。
【００４６】
左側面板４は、正面板２の左端縁から折目ｆ８を介して連設されており、下端縁には、折目ｆ１２を介して下部内フラップＩＦ３が形成されている。すなわち、本実施形態では、第一実施形態で説明した上部内フラップＩＦ１を備えていない。
【００４７】
第一糊代板５３は、背面板５の右端縁から折目ｆ１１を介して連設されており、その上端部側の一部に係止板５１ｃの係止片ｐと係合する係合部ｍが、設けられている。本実施形態の係合部ｍは切り欠きである。
【００４８】
−包装容器の組立−
次に、包装容器の組立について説明する。
【００４９】
まず、図６の展開図において、上部内フラップＩＦ５を、折目ｆ３に沿って内側に折り曲げて、右側面板３の内面に接着固定する。さらに、第二上面板５１を、折目ｆ５に沿って折り曲げ（図６参照）、第二糊代板５１ｄを背面板５の内面に接着固定する（図３参照）。
【００５０】
次に、折目ｆ８、ｆ９、ｆ１０、ｆ１１に沿って、正面板２、右側面板３、左側面板４、背面板５、第一糊代板５３をそれぞれ折り曲げ、第一糊代板５３を左側面板４の内側に接着固定する。
【００５１】
次に、折目ｆ１２、ｆ１４に沿って、下部内フラップＩＦ３と、下部内フラップＩＦ４とが互いに面一となるように折り曲げる。そして、一対の下部内フラップＩＦ３、ＩＦ４を覆うように、折目ｆ１３に沿って第一下面板２２を折り曲げる。その後に、折目ｆ１５に沿って第二下面板５２を折り曲げる。そして、第一下面板２２に第二下面板５２を重ね合わせて互いに接着固定する。
【００５２】
これにより、開口ｈ（後述する図８又は図９参照）を有する容器本体が組み立てられる。この容器本体の開口ｈから収容物を収容した後に、容器本体の開口ｈを閉塞する。以下、閉塞手順について詳述する。
【００５３】
まず、第二上面板５１を、開口ｈを閉塞するように折り曲げる。具体的には、第二上面板５１の閉塞板５１ａを折目ｆ４に沿って折り曲げると、閉塞板５１ａが開口ｈを閉塞するとともに、閉塞板５１ａと連結板５１ｂを介して連結された係止板５１ｃが、閉塞板５１ａの折り曲げと連動して折り曲げられる。すなわち、折目ｆ７を介して係止板５１ｃが折り曲げられる（後述する図８及び図９参照）。これにより、閉塞板５１ａによって開口ｈを閉塞すると、係止板５１ｃは、容器本体の開口ｈ内に連結板５１ｂの幅ｔだけ入り込む（後述する図５Ａ参照）。そして、開口ｈ内に入り込んだ係止板５１ｃの係止片ｐがそれぞれ、上部内フラップＩＦ５の係合部ｍと、第一糊代板５３の係合部ｍと係合して（後述する図８及び図９参照）、開口ｈが第二上面板５１によって閉塞される。
【００５４】
開口ｈを第二上面板５１で閉塞した後は、折目ｆ２（図６、図７参照）に沿って第一上面板２１を折り曲げ、第一上面板２１を第二上面板５１に重ねて接着固定する。
【００５５】
以上により、容器本体の開口ｈが外フラップＯＦによって閉塞され、包装容器１が組み立てられる。
【００５６】
−包装容器の使用態様−
次に、本実施系地における包装容器の使用態様について説明する。
【００５７】
本実施形態における包装容器１を開封して収容物を取り出す際は、正面板２の切り裂き目ｋ１を指で押圧して切り裂いて、外フラップＯＦを開くことにより、包装容器１が開封され、包装容器１内の収容物を取り出すことができる（図８及び図９参照）。
【００５８】
開封された包装容器１に、再度、収容物を収容して再封する際は、上述した「包装容器の組立」で説明したとおり、外フラップＯＦを閉じる。これにより、係止板５１ｃが、容器本体の開口ｈ内に入り込み、係止板５１ｃの各係止片ｐが、上部内フラップＩＦ５の係合部ｍと、第一糊代板５３の係合部ｍとそれぞれ係合する（図８及び図９参照）。
【００５９】
以上により、本発明に係る包装容器は、従来技術と異なり、再封片を切欠部に差し入れる手間を必要とせず、外フラップＯＦを閉じるだけで、係止板５１ｃの係止片ｐが上部内フラップＩＦ５の係合部ｍ及び第一糊代板５３の係合部ｍとそれぞれ係合するので、再封作業を容易に行うことができる。また、従来技術における再封片が切欠部に差し入れられるものとは異なり、係止板５１ｃの係止片ｐと容器本体の係合部ｍとが強固に係り合うので、確実に再封することができる。
【００６０】
なお、上記に示した本発明の第一実施形態及び第二実施形態は、いずれも本発明を具体化した例であって、本発明の技術的範囲を限定する性格のものではない。
【００６１】
例えば、本実施形態では、係止片ｐと係合する係合部ｍは、一対の上部内フラップＩＦ１、ＩＦ２又は第一糊代板５３に設けられた実施形態について説明したが、これに限られず、容器本体の内側に設けられていてもよい。
【００６２】
また、係止片ｐは、係止板５１ｃの両側縁に備えられた実施形態について説明したが、この例に限られず、係止板５１ｃの片側のみに備えられていてもよい。
【００６３】
また、係合部ｍの形状は、溝形状、切り欠き形状の実施形態について説明したが、係止片ｐと係合可能であれば、この形状に限られるものではない。
【００６４】
また、本実施形態では、閉塞板５１ａ、連結板５１ｂ、係止板５１ｃ、第二糊代板５１ｄを有する外フラップＯＦが、包装容器１の上面板側に備えられている実施形態について説明したが、これに限られず、外フラップＯＦ及び係合部ｍが下面板側に備えられていてもよい。この場合は、一対の下部内フラップＩＦ３、ＩＦ４、又は、第一糊代板５３の下面板側に係合部ｍが設けられており、係合部ｍと係止片ｐとを係合させて再封することができる。
【００６５】
また、本実施形態では、容器本体を矩形状として説明したが、この形状に限られず、筒状や、コーン状であってもよい。
【符号の説明】
【００６６】
１      包装容器
２      正面板
２１    第一上面板
２２    第一下面板
３      右側面板
４      左側面板
ＩＦ１、ＩＦ２、ＩＦ５  上部内フラップ
ＩＦ３、ＩＦ４  下部内フラップ
ｍ      係合部
５      背面板
５１    第二上面板
５１ａ  閉塞板
５１ｂ  連結板
５１ｃ  係止板
ｐ      係止片
５１ｄ  第二糊代板
５２    第二下面板
５３    第一糊代板
ＯＦ    外フラップ
ｆ１〜ｆ１５  折目
ｋ１、ｋ２  切り裂き目
ｈ      開口
【図１】
0006286332.tif 000002
【図２】
0006286332.tif 000003
【図３】
0006286332.tif 000004
【図４】
0006286332.tif 000005
【図５Ａ】
0006286332.tif 000006
【図５Ｂ】
0006286332.tif 000007
【図６】
0006286332.tif 000008
【図７】
0006286332.tif 000009
【図８】
0006286332.tif 000010
【図９】
0006286332.tif 000011